(57)【特許請求の範囲】
【請求項１】
床スラブ上に立設される床支持脚（１）の上部に複数離間し、略平行に載置される根太材（２）に対して略直交方向に敷設され、両側面には長尺方向に溝部（７）を有する長尺状の床板（５）の敷設工法において、
上記長尺状の床板（５）を複数列に配置し、各列を構成する複数の床板（５）の突合せ部（６）を各列間において相互にずらして配置するとともに、
各列の床板端部の突合せ部（６）は、上記根太材（２）の上部をはずして配置され、
突き合される一方の床板（５）の溝部（７）から他方の床板（５）の溝部（７）にかけて、両溝部（７）に嵌合して突合せ部（６）を補強する端部補強具（４）を介在させ、
上記端部補強具（４）には、上記床板（５）の裏面部に当接する当接部（１１，３１，４１）、この当接部から立ち上がる立設部（１２，３２，４２）、及びこの立設部から横向きに形成され上記溝部（７）に嵌合される嵌合部（１３，３３，４３）を設けたことを特徴とする屋外床敷設工法。
【請求項２】
上記床板（５）の上部からビス等の止着具（３）を用いて、床板（５）を上記根太材（２）に固定したことを特徴とする請求項１に記載の屋外床敷設工法。
【請求項３】
上記根太材（２）の上部に固定される固定部（２１）、この固定部（２１）から立設され、上記床板（５）の長尺方向側面に当接する立設部（２２）、及びこの立設部（２２）から左右に突出して床板（５）の溝部（７）に嵌合する嵌合部（２３）からなる床板結合具（１０）を用いて、床板（５）を根太材（２）に固定したことを特徴とする請求項１に記載の屋外床敷設工法。
【請求項４】
床スラブ上に立設される床支持脚（１）の上部に複数離間し、略平行に載置される根太材（２）に対して略直交方向に敷設され、両側面には長尺方向に溝部（７）を有する長尺状の床板（５）を用い、
上記長尺状の床板（５）を複数列に配置し、各列を構成する複数の床板（５）の突合せ部（６）を各列間において相互にずらして配置し、各列の床板端部の突合せ部（６）は、上記根太材（２）の上部をはずして配置される敷設構造であって、
上記突合せ部（６）に介在され、突き合される一方の床板（５）の溝部（７）から他方の床板（５）の溝部（７）にかけて、両溝部（７）に嵌合して突合せ部（６）を補強する端部補強具（４）と、上記床板（５）の上部から用いられ、床板（５）を根太材（２）に固定するビス等の止着具（３）と、を有し、
上記端部補強具（４）には、上記床板（５）の裏面部に当接する当接部（１１，３１，４１）、この当接部から立ち上がる立設部（１２，３２，４２）、及びこの立設部から横向きに形成され上記溝部（７）に嵌合される嵌合部（１３，３３，４３）を設けたことを特徴とする屋外床敷設構造。
【請求項５】
床スラブ上に立設される床支持脚（１）の上部に複数離間し、略平行に載置される根太材（２）に対して略直交方向に敷設され、両側面には長尺方向に溝部（７）を有する長尺状の床板（５）を用い、
上記長尺状の床板（５）を複数列に配置し、各列を構成する複数の床板（５）の突合せ部（６）を各列間において相互にずらして配置し、各列の床板端部の突合せ部（６）は、上記根太材（２）の上部をはずして配置される敷設構造であって、
上記突合せ部（６）に介在され、突き合される一方の床板（５）の溝部（７）から他方の床板（５）の溝部（７）にかけて、両溝部（７）に嵌合して突合せ部（６）を補強する端部補強具（４）と、
上記根太材（２）の上部に固定される固定部（２１）、この固定部（２１）から立設され、上記床板（５）の長尺方向側面に当接する立設部（２２）、及びこの立設部（２２）から左右に突出して床板（５）の溝部（７）に嵌合する嵌合部（２３）からなり、床板（５）を根太材（２）に固定する床板結合具（１０）と、を有し、
上記端部補強具（４）には、上記床板（５）の裏面部に当接する当接部（１１，３１，４１）、この当接部から立ち上がる立設部（１２，３２，４２）、及びこの立設部から横向きに形成され上記溝部（７）に嵌合される嵌合部（１３，３３，４３）を設けたことを特徴とする屋外床敷設構造。
【請求項６】
上記根太材（２）は金属製であることを特微とする請求項４又は請求項５に記載の屋外床敷設構造。
【発明の詳細な説明】
【０００１】
【発明の属する技術分野】
本発明は、屋外床敷設工法及び屋外床敷設構造に関する。
【０００２】
【従来の技術】
従来、屋外に配置される床構造として、図９に示す木のデッキ材を用いた木床構造が知られている。この木床構造は、床スラブ６９に、支持脚６１を立設し、この支持脚６１間に硬質木製の根太材６２を配置し、この根太材６２と直交する方向に硬質の木のデッキ材６３を所定の隙間をおいて敷設したものである。
【０００３】
デッキ材６３の敷設に際しては、デッキ材６３の継ぎ目が全て根太材６２の真上に配置されるようにデッキ材６３の寸法を揃え、デッキ材６３を根太材６２に固定する止着具として木ねじ６４を用いる。木ねじ６４は、根太材６２と交差する個所に、それぞれ２本用い、デッキ材６３同士の継ぎ目については、各デッキ材６３の端部に２本ずつ、合わせて４本用いている。また、木ねじ６４で止める際には、デッキ材６３及び根太材６２に予め下穴をあける。この下穴のサイズは施工性からすればビスの径程度、またビスの保持力からすればビスの径よりと小さめとなる。
【０００４】
【発明が解決しようとする課題】
さて、上記従来の木床敷設にあたって、デッキ材６３の長さは根太材６２の間隔によって寸法が決定されるので、根太材６２間の間隔の倍数となる定尺のデッキ材６３を用いる必要がある。また、デッキ材６３の端部は木ねじ６４が打たれるために、経年変化による木材の収縮等により、端部の木ねじ６４止部分が欠けたり、或いは割れたりするという不具合があった。
【０００５】
また、デッキ材６３端部をねじ止めにより止着するため、デッキ材６３の継ぎ目を全て根太材６２の真上に配置し、それぞれ２本の木ねじ６４を用いてデッキ材６３の端部を固定するため、合わせて４本の木ねじ６４が集まることになる一方、継ぎ目でない部分は２本の木ねじ６４で止着する形態であるため、外観が不均一になりすっきりしないという問題があった。さらに、デッキ材６３端部に木ねじ６４を止着する際、端部面積が十分に確保できないために、デッキ材６３の割れが生じやすく、また硬質のデッキ材６３をビス止めする場合、下穴をデッキ材６３及び根太材６２にあけるため、この下穴が後々の木ねじ６４の緩み原因となることが懸念される。
【０００６】
本発明は、上記問題点に鑑みてなされたものであり、施工性及び耐久性に優れ、美観にも優れた屋外床敷設工法及び屋外床敷設構造を提供することを目的とする。
【０００７】
【課題を解決するための手段】
以上の技術的課題を解決するため、本発明に係る屋外床敷設工法は、図１に示すように、床スラブ上に立設される床支持脚１の上部に複数離間し、略平行に載置される根太材２に対して略直交方向に敷設され、両側面には長尺方向に溝部７を有する長尺状の床板５の敷設工法において、上記長尺状の床板５を複数列に配置し、各列を構成する複数の床板５の突合せ部６を各列間において相互にずらして配置するとともに、各列の床板端部の突合せ部６は、上記根太材２の上部をはずして配置され、突き合される一方の床板５の溝部７から他方の床板５の溝部７にかけて、両溝部７に嵌合して突合せ部６を補強する端部補強具４を介在させたことである。
【０００８】
また、本発明に係る屋外床敷設工法は、上記床板５の上部からビス等の止着具３を用いて、床板５を上記根太材２に固定したことである。
【０００９】
本発明に係る屋外床敷設工法は、上記根太材２の上部に固定される固定部２１、この固定部２１から立設され、上記床板５の長尺方向側面に当接する立設部２２、及びこの立設部２２から左右に突出し、床板５の溝部７に嵌合する嵌合部２３からなる床板結合具１０を用いて、床板５を根太材２に固定したことである。
【００１０】
また、上記端部補強具４は、上記床板５の裏面部に当接する当接部１１，３１，４１、この当接部から立ち上がる立設部１２，３２，４２、及びこの立設部から横向きに形成され上記溝部７に嵌合される嵌合部１３，３３，４３からなることである。
【００１１】
本発明に係る屋外床敷設構造は、図１に示すように、床スラブ上に立設される床支持脚１の上部に複数離間し、略平行に載置される根太材２に対して略直交方向に敷設され、両側面には長尺方向に溝部７を有する長尺状の床板５を用い、上記長尺状の床板５を複数列に配置し、各列を構成する複数の床板５の突合せ部６を各列間において相互にずらして配置し、各列の床板端部の突合せ部６は、上記根太材２の上部をはずして配置される敷設構造であって、上記突合せ部６に介在され、突き合される一方の床板５の溝部７から他方の床板５の溝部７にかけて、両溝部７に嵌合して突合せ部６を補強する端部補強具４と、上記床板５の上部から用いられ、床板５を根太材２に固定するビス等の止着具３と、を有するものである。
【００１２】
本発明に係る屋外床敷設構造は、図６に示すように、床スラブ上に立設される床支持脚１の上部に複数離間し、略平行に載置される根太材２に対して略直交方向に敷設され、両側面には長尺方向に溝部７を有する長尺状の床板５を用い、上記長尺状の床板５を複数列に配置し、各列を構成する複数の床板５の突合せ部６を各列間において相互にずらして配置し、各列の床板端部の突合せ部６は、上記根太材２の上部をはずして配置される敷設構造であって、上記突合せ部６に介在され、突き合される一方の床板５の溝部７から他方の床板５の溝部７にかけて、両溝部７に嵌合して突合せ部６を補強する端部補強具４と、上記根太材２の上部に固定される固定部２１、この固定部２１から立設され、上記床板５の長尺方向側面に当接する立設部２２、及びこの立設部２２から左右に突出して床板５の溝部７に嵌合する嵌合部２３からなり、床板５を根太材２に固定する床板結合具１０と、を有するものである。
【００１３】
また、本発明に係る屋外床敷設構造は、上記根太材２を金属製としたことである。
【００１４】
本発明に係る屋外床敷設構造は、上記端部補強具４は、上記床板５の裏面部に当接する当接部１１，３１，４１、この当接部から立ち上がる立設部１２，３２，４２、及びこの立設部から横向きに形成され上記溝部７に嵌合される嵌合部１３，３３，４３からなることである。
【００１５】
【発明の実施の形態】
以下、本発明に係る屋外床敷設工法及び屋外床敷設構造の実施の形態を図面に基づいて説明する。
【００１６】
図１は、上記屋外床敷設構造を示したものである。この屋外床敷設構造は、床スラブ９上に床支持脚１を立設し、この上部に根太材２を互いに平行に配置し、この根太材２に対して直交する方向に長尺状の床板５を敷設し、床板５同士の継ぎ目には端部補強具４を介在させた構造である。
【００１７】
上記床板５は、硬質の木材からなる長尺状の板材であり、床板５の長尺側の両側面には長尺方向に溝部７が形成されている。上記端部補強具４は、ステンレス鋼、鋼、軽金属等の金属、或いは合成樹脂からなり、図２に示すように、床板５の裏面部に当接する矩形状の当接片を左右に有する当接部１１、この当接部１１の中央部から立ち上がり所定の板厚を有する立設板１２、及びこの立設板１２の上端部から左右に突出片が形成された嵌合部１３からなっている。
【００１８】
また、上記根太材２は、耐蝕性を有する金属からなり、天板部１６、これから両側部を経て下端部からそれぞれ外向き形成されたフランジ部１７を有する断面ハット状の長尺材である。上記床支持脚１は、支持ボルト１８の上部に支持板１９が高さ調節可能に取付けられている。この床支持脚１は、床の浮き上がりの防止のため、下端部を床スラブ９に埋設固着している。
【００１９】
上記屋外床敷設構造の施工に際しては、図１に示すように、所定間隔で立設した床支持脚１に根太材２を配置する。この根太材２は、所定の間隔を隔てて平行状態に配置され、根太材２のフランジ部１７を床支持脚１の支持板１９にビス等の止着具を用いて固定する。
【００２０】
床板５の敷設は、床の一端から順に行う。まず、複数の床板５を長尺方法につなげ、各床板５の突合せ部６を根太材２の上方からずらして、根太材２間に位置するように配置する。そして、図２に示すように、床板５同士の突合せ部６の部位に、端部補強具４を取付けて複数の床板５を長尺方向に連結した、連続の床板５を形成する。
【００２１】
この端部補強具４は、当接部１１を両床板５の裏面部に当接させ、そのまま嵌合部１３の突出片を、両床板５の溝部７間を跨ぐ状態で差し込み嵌合する。端部補強具４は、突き合わせた床板５の両側部にそれぞれ取付ける。端部補強具４における嵌合部１３の他方の突出片は、隣接する他の床板５の溝部７に嵌合させる。端部補強具４は、当接部１１と嵌合部１３で床板５を挟む形態としており、このため床板５端部の反りや捩れなどによる変形防止の役目もする。
【００２２】
そして、根太材２と床板５が交差する個所につき、床板５の上からビス３を用いて、床板５を根太材２に固定する。ビス３の止着に際して、床板５の該当個所には予め下穴をあけておくが、根太材２に対しては、ビス３のセルフドリリング機能を利用する等してねじ込む。このビス３は、上記各交差個所にそれぞれ２本ずつ用いる。
【００２３】
上記連続の床板５の隣りに、同様に、端部補強具４を用いて連結した新たな連続の床板５を敷設する。この際、この新たな連続した床板５の突合せ部６は、上記連続の床板５の突合せ部６とは、同じ根太材２間に位置しないように、どちらかを他の根太材２間にずらして配置する。そして、この新たな床板５の溝部７を、上記床板５に取り付けた端部補強具４における嵌合部１３のあいた突出片に嵌合させる。
【００２４】
上記のように、隣接する床板５の突合せ部６を異なる根太材２間に配置するのは、端部補強具４の嵌合部１３の他方の突出片を突合せ部６が位置しない床板５に嵌合させて端部補強具４を固く固定して、補強を強固にするためである。また、隣接する床板５同士の間は雨水の排水等のための隙間が必要であるが、図５に示すように、端部補強具４の立設板１２は、床板５同士に挟まれるものであり、この立設板１２の板幅のサイズの隙間（Ａ）がおのずと床板５間に形成される。
【００２５】
以降も同様にして、図３に示すように、床板５を複数列に配置し、各列を構成する複数の床板５の突合せ部６を各列間において相互にずらして配置する。また各列の床板５端部の突合せ部６は、上記根太材２の上部をはずして根太材２同士の間に配置し、床板５端部の突合せ部６が、根太材２の真上に位置することがないようにする。このようにして、床板５端部の突合せ部６に端部補強具４を介在させ、根太材２と床板５との交点をビス３で止着する工法を用いた屋外床敷設構造の野外床を得る。
【００２６】
次に、上記ビス３に代えて図４に示す床板結合具１０を用いて、床板５を根太材２に固定する工法について説明する。この床板結合具１０は、上記根太材２の上部に固定される矩形状の固定板２１、この固定板２１の中央部から少し一方寄りの位置に立設され、上記床板５の長尺方向側面に当接する立設板２２、及びこの立設板２２の上部から左右に板状の突出片が形成され上記床板５の溝部７に嵌合する嵌合部２３からなっている。床板結合具１０は、ステンレス鋼、鋼、軽金属等の金属、或いは合成樹脂からなる。
【００２７】
上記立設板２２で区切られた固定板２１は、一方の狭い側には、取付けの際、根太材２と床板５との間に差し込む固定片が形成され、他方の広い側には、中央部にビス１５を止着するビス孔２４が設けられた固定片が形成されている。このビス孔２４には、ビス１５の頭部が固定板２１の表面から突出しないように皿状の窪みが形成されている。
【００２８】
上記床板結合具１０は、同図に示すように、固定板２１の一方の固定片を根太材２と床板５との間に差し込み、同時に嵌合部２３の一方の突出片を床板５の溝部７に嵌合する。そして、固定板２１の他方の固定片は、ビス孔２４にビス１５を挿通して締めつけ、固定板２１を根太材２の上部に固定する。この床板結合具１０を用いた場合には、図５に示すように、固定板２１の厚さの隙間（Ｂ）が根太材２と床板５との間に形成され、通気性がよい。
【００２９】
図６は、この床板結合具１０を用いた床の施工状態を示したものである。上記と同様に床板５同士の突合せ部６の部位に、端部補強具４を取付けて複数の床板５を長尺方向に連結した、連続の床板５を形成する。そして、根太材２と床板５が交差する個所につき、上述した方法で床板結合具１０を取付けて、床板５を根太材２に固定する。この床板結合具１０は１個で、隣接する両方の床板５の各一端を固定する。
【００３０】
図６の施工例に示すように、床板結合具１０を、各根太材２と床板５が交わる個所に、また、端部補強具４を先に取付けた連続の床板５の、突合せ部６及びこれから敷設しようとする床板５の突合せ部６に該当する部位に取付ける。そして、新たな床板５の溝部７を、上記床板結合具１０及び端部補強具４の各嵌合部の突出片に嵌合させ、併せて長尺方向に床板５を連結する。
【００３１】
以降も同様にして、床板５を複数列に配置し、各列を構成する複数の床板５の突合せ部６を各列間において相互にずらして配置する。また、上記施工と同様に、各列の床板端部の突合せ部６は、上記根太材２の上部をはずして配置し、床板５端部の突合せ部６が、根太材２の真上に位置することがないようにする。このようにして、床板５端部の突合せ部６に端部補強具４を介在させ、根太材２と床板５との交点を床板結合具１０を用いて固定する工法を用いた屋外床敷設構造の野外床を得る。
【００３２】
図７は、第二の形態に係る端部補強具３４を示したものである。この端部補強具３４は、床板５の裏面部に当接する当接部３１、この当接部３１から立ち上がる立設板３２、及びこの立設板３２から横向きに形成され上記溝部７に嵌合される嵌合部３３から形成されている。端部補強具３４は、立設板３２が嵌合部３３の中央上部からさらに上方に突出形成されている以外は、上記端部補強具４と同様な形状である。この端部補強具３４の材質及び取扱いは、上記端部補強具４と同様であるので、ここでは説明を省略する。上記立設板３２の上部片は、嵌合部３３から上方に突出形成されており、この上部片により、床板５の変形による床板５同士の隙間の上部間隔の収縮をとめて、変形を防止する。
【００３３】
図８は、第三の形態に係る端部補強具４４を示したものである。この端部補強具４４は、床板５の裏面部に当接する当接部４１、この当接部４１の両端部から立ち上がる立設板４２、及びこの立設板４２から左右に突設形成され上記溝部７に嵌合される嵌合部４３が設けられている。
【００３４】
上記端部補強具４は、床板５の左右側面に一対の形態で用いるのに対して、この端部補強具４４は１個で、上記一対の端部補強具４の役目をするので、部品点数の削減に寄与する。このように、端部補強具４４は、上記一対形態の端部補強具４と比べて、当接部４１が一体化しかつ断面全体が略Ｃの字形状をなしており、この形態により強度が補強され、さらに床板５端部の補強が高められる。
【００３５】
この端部補強具４４の取付けに際しては、床板５の端部側から、端部補強具４４の左右の嵌合部４３を床板５の左右側面の溝部７に嵌め込む。そして、端部補強具４４の前後の側から床板５端部をそれぞれ嵌め込み、端部補強具４４の中央で両者を突き合わせる。嵌合部４３の外向きの突出片は、隣接する床板５の溝部７と嵌合させ、隣接する突合せ部６のない床板５の強度を得ることで、より補強強度を高める。端部補強具４４の材質、床敷設構造の施工については、上記端部補強具４と同様であるので、ここでは説明を省略する。
【００３６】
従って、上記実施の形態によれば、床板５を複数列に配置するにあたって、各列の床板５の突合せ部６を各列間において相互にずらして配置するとともに、突合せ部６を根太材２間に配置し、端部補強具４を用いて床板５を連結したことにより、従来根太材の間隔の倍数の長さの床板しか使用できなかったが、この実施の形態では、このような制約なしに床板を選定することができ、このため、乱尺の床を施工する場合であっても、床板の歩留まりが良く、経済的であり、併せて床板の切断工程が減少して施工性が向上する。
【００３７】
また、床板５を根太材２に固定する場合、床板５の端部ではなく中央寄りの部位をビスにて止着しているので、床板の欠けや割れが生じにくいという利点がある。さらに、根太材２と床板５との交点に、それぞれ２個のビスを用いたので、整然とした美観が得られる。また、ビスにて床板５を金属製の根太材２に固定するので、ビスと金属製根太材の結合力はまし、径年変化による木製の根太材の痩せによるガタツキが発生しなくなる。
【００３８】
また、ビスの下穴は床板のみに設ければ良く、床板と根太材の剥離の原因である根太材からのビスの抜けは、根太材に木材を用いた場合と比べて減少する。また、根太材が金属製であることから、木材と比べて収縮がほとんど無く、このことからもビスの緩み、抜けの心配がない。一方、床板結合具を用いた施工では、床板の表面に一切の固定具等が表れないから美観性が良い。
【００３９】
【発明の効果】
以上説明したように、本発明に係る屋外床敷設工法によれば、長尺状の床板を複数列に配置し、各列を構成する複数の床板の突合せ部を各列間において相互にずらして配置するとともに、各列の床板端部の突合せ部は、根太材の上部をはずして配置され、床板の突合せ部の両溝部に端部補強具を介在させることとしたから、床板の寸法を比較的自由な長さで使用することができ、乱尺の床を施工する場合であっても、床板の歩留まりが良く、経済的であり、併せて床板の切断工程が減少して施工性が向上する、という効果がある。また、端部補強具は床板の表面に露出することはないので、美観にも優れるという効果がある。
【００４０】
また、本発明に係る屋外床敷設工法は、床板の上部からビス等の止着具を用いて、床板を根太材に固定したから、床板の端部ではなく中央寄りの部位をビスにて止着することになるので、床板の欠けや割れが生じにくいという効果がある。
【００４１】
本発明に係る屋外床敷設工法は、根太材に固定される固定部、この固定部から立設される立設部、及び床板の溝部に嵌合する嵌合部からなる床板結合具を用いて、床板を根太材に固定したから、床板の表面にこの床板固定具が表れないから美観が良いという効果がある。
【００４２】
また、端部補強具は、床板の裏面部に当接する当接部、この当接部から立ち上がる立設部、及びこの立設部から横向きに形成され溝部に嵌合される嵌合部からなることとしたから、床板同士の突合せ部の補強が確実かつ強固におこなわれ、また床板の表面に端部補強具が表れないから美観が良いという効果がある。
【００４３】
本発明に係る屋外床敷設構造は、床板を複数列に配置し、各列を構成する複数の床板の突合せ部を各列間において相互にずらして配置し、各列の床板端部の突合せ部は、根太材の上部をはずして配置され、突き合される床板の端部に端部補強具を設け、ビス等の止着具を用いて床板を固定したから、床板の寸法を比較的自由な長さでも使用することができ、乱尺の床を施工する場合であっても、床板の歩留まりが良く、経済的であり、併せて床板の切断工程が減少して施工性が向上する、という効果がある。また、床板の表面に端部補強具が表れないから美観に優れ、さらに床板の端部ではなく中央寄りの部位をビスにて止着するので、床板の欠けや割れが生じにくいという効果がある。
【００４４】
本発明に係る屋外床敷設構造は、床板を複数列に配置し、各列を構成する複数の床板の突合せ部を各列間において相互にずらして配置し、各列の床板端部の突合せ部は、根太材の上部をはずして配置され、突き合される床板端部に端部補強具を設け、固定部から立設される立設部、及び床板の溝部に嵌合する嵌合部からなる床板結合具を用いて床板を固定したから、乱尺の床を施工する場合であっても、床板の歩留まりが良く、経済的であり、併せて床板の切断工程が減少して施工性が向上する、という効果があり、また、床板の表面に端部補強具、床板結合具が表れないから美観に優れるという効果がある。
【００４５】
また、本発明に係る屋外床敷設構造は、根太材を金属製としたから、木材のものと比べて経年変化によるガタツキがなく、また収縮がほとんどないのでビスの緩み、抜けの心配がないという効果がある。
る。
【００４６】
また、端部補強具は、床板の裏面部に当接する当接部、立設部及び溝部に嵌合される嵌合部からなることとしたから、床板同士の突合せ部の補強が確実かつ強固におこなわれ、また床板の表面に端部補強具が表れなくて美観に優れるという効果がある。
【図面の簡単な説明】
【図１】本発明の実施の形態に係る屋外床敷設構造の施工状態を示す図である。
【図２】実施の形態に係り、端部補強具の施工状態を示す図である。
【図３】本発明の実施の形態に係る屋外床敷設構造を示す図である。
【図４】実施の形態に係り、床板結合具の施工状態を示す図である。
【図５】実施の形態に係る屋外床敷設構造の断面図である。
【図６】本発明の実施の形態に係り、床板結合具を用いた屋外床敷設構造の施工状態を示す図である。
【図７】実施の形態に係り、第二の端部補強具の施工状態を示す図である。
【図８】実施の形態に係り、第三の端部補強具の施工状態を示す図である。
【図９】従来例に係る屋外床敷設構造を示す図である。
【符号の説明】
１  床支持脚
２  根太材
３  止着具
４  端部補強具
５  床板
６  突合せ部
７  溝部
１０  床板結合具
１１，３１，４１  当接部
１２，３２，４２  立設部（立設板）
１３，３３，４３  嵌合部
２１  固定部（固定板）
２２  立設部（立設板）
２３  嵌合部
【図１】
0003739255.tif 000002
【図２】
0003739255.tif 000003
【図３】
0003739255.tif 000004
【図４】
0003739255.tif 000005
【図５】
0003739255.tif 000006
【図６】
0003739255.tif 000007
【図７】
0003739255.tif 000008
【図８】
0003739255.tif 000009
【図９】
0003739255.tif 000010